(57)【特許請求の範囲】
【請求項１】
コンテナの一端に開口する開口部を閉塞して前記コンテナに取り付けられるケーシングと、前記コンテナの庫内に配置されて前記ケーシングとの間に室内機スペースを区画する仕切板とを有し、前記室内機スペースに蒸発器および室内ファンが設置されるコンテナ用冷凍装置であって、
前記ケーシングには、前記室内ファンを前記コンテナの庫外に取り出すことが出来るメンテナンス口が形成され、前記ケーシングの庫内側には、前記メンテナンス口に面して棚状に延設される受けブラケットが設置され、
前記室内ファンは、前記蒸発器より上方に配置されて、モータの回転軸に取り付けられるファンブレードが前記室内機スペースの上方を向いて設置され、且つ、前記モータの底面にブラケットが取り付けられて、このブラケットが前記受けブラケット上を前記メンテンナンス口に対向してスライド可能に設けられ、
前記受けブラケットは、前記室内ファンを前記メンテナンス口より庫外へ取り出す際に、前記ブラケットと一体に前記受けブラケット上をスライドさせて前記メンテナンス口側へ引き出した状態で、前記室内ファンを一時的に仮置きできる仮置き台として利用できることを特徴とするコンテナ用冷凍装置。
【請求項２】
請求項１に記載したコンテナ用冷凍装置において、
前記室内ファンは、ファンブレードの周囲を取り囲むファンシュラウドを有し、このファンシュラウドが前記ケーシングに取り付けられたファンガイドにボルトによって固定され、且つ、前記ブラケットが前記受けブラケットにボルトによって固定されていることを特徴とするコンテナ用冷凍装置。
【請求項３】
請求項１または２に記載したコンテナ用冷凍装置において、
前記蒸発器は、前記ケーシングと前記仕切板との間で、前記仕切板側から前記ケーシング側に向かって前記室内機スペースの下方へ傾斜した状態に配置されていることを特徴とするコンテナ用冷凍装置。
【発明の詳細な説明】
【技術分野】
【０００１】
本発明は、コンテナ用冷凍装置に関し、特に、コンテナの庫内側に配置される室内ファンの取付け構造に関する。
【背景技術】
【０００２】
従来、輸送用のコンテナに冷凍装置を組み付けた冷凍コンテナが知られている（特許文献１参照）。
この冷凍コンテナに使用される冷凍装置１００は、図７（ａ）に示す様に、室外機（コンプレッサ１１０、凝縮器１２０、室外ファン１３０等）と、室内機（蒸発器１４０、室内ファン１５０、膨張弁等）とを一体的に配置して構成される。
この冷凍装置１００は、室外機を設置する室外機スペースと、室内機を設置する室内機スペースとの間を区画するケーシング１６０を有し、このケーシング１６０がコンテナの一端に開口する開口部を閉塞して取り付けられる。また、ケーシング１６０には、室内機用のメンテナンス口１７０が形成され、例えば、室内ファン１５０のモータ１８０が故障した時に、ケーシング１６０に取り付けられたファンガイド１９０（図７（ｂ）参照）から室内ファン１５０を取り外して、メンテナンス口１７０よりケーシング１６０の外側（以下、庫外と言う）へ取り出すことが出来る。
【先行技術文献】
【特許文献】
【０００３】
【特許文献１】特開２０１０−８０２７号公報
【発明の概要】
【発明が解決しようとする課題】
【０００４】
ところで、コンテナ用の冷凍装置１００は、メンテナンス口１７０が地上２メートル以上の位置にあるため、室内ファン１５０をメンテナンス口１７０より庫外へ取り出す際に、作業者は脚立等に乗った状態で作業を行うことになる。その上、モータ１８０の重量が１０数ｋｇあることから、室内ファン１５０を片手で取り出すことは困難であり、両手でモータ１８０を掴みながら作業することになる。この時、作業者は、メンテナンス口１７０より庫内へ両腕を延ばした状態、つまり、上体が前かがみとなり、体勢が不安定になっている。また、メンテナンス口１７０まで引き出した室内ファン１５０の重心がファンガイド１９０から外れた瞬間に、図７（ｂ）に斜め下向き矢印で示す様に、室内ファン１５０の重量が作業者の両腕に急激に加わるため、安全かつ慎重に作業を行う必要がある。
【０００５】
上記の様に、重量物である室内ファン１５０をメンテナンス口１７０から庫外へ取り出す作業は、作業者が不安定な体勢を強いられるため、作業性が極めて悪く、且つ危険性を伴うことから作業効率が大きく低下する。
本発明は、上記事情に基づいて成されたもので、その目的は、メンテナンス口を通じて行う室内機（特に室内ファン）の保守点検あるいは修理交換等に係る作業者の作業効率および安全性を向上できるコンテナ用冷凍装置を提供することにある。
【課題を解決するための手段】
【０００６】
（請求項１の発明）
本発明は、コンテナの一端に開口する開口部を閉塞してコンテナに取り付けられるケーシングと、コンテナの庫内に配置されてケーシングとの間に室内機スペースを区画する仕切板とを有し、室内機スペースに蒸発器および室内ファンが設置されるコンテナ用冷凍装置であって、ケーシングには、室内ファンをコンテナの庫外に取り出すことが出来るメンテナンス口が形成され、ケーシングの庫内側には、メンテナンス口に面して棚状に延設される受けブラケットが設置されている。
室内ファンは、蒸発器より上方に配置されて、モータの回転軸に取り付けられるファンブレードが室内機スペースの上方を向いて設置され、且つ、モータの底面にブラケットが取り付けられて、このブラケットが受けブラケット上をメンテンナンス口に対向してスライド可能に設けられている。
受けブラケットは、室内ファンをメンテナンス口より庫外へ取り出す際に、ブラケットと一体に受けブラケット上をスライドさせてメンテナンス口側へ引き出した状態で、室内ファンを一時的に仮置きできる仮置き台として利用できることを特徴とする。
【０００７】
上記の構成によれば、室内ファンをメンテナンス口より庫外へ取り出す際に、ケーシングに設置された受けブラケットを室内ファンの仮置き台として利用できる。すなわち、室内ファンをメンテナンス口まで引き出した状態で一時的に受けブラケット上に仮置きすることにより、作業者は、一旦、室内ファンから両手を離すことが可能となるため、体勢を整えてから、室内ファンを庫外へ取り出すことができる。これにより、作業者が安定した体勢で作業を行うことができるので、作業時の安全性および作業効率が向上する。なお、本発明では、モータとファンブレードを含めて室内ファンと呼んでいる。
また、本発明の受けブラケットは、室内ファンをメンテナンス口より庫外へ取り出す際の一時的な仮置き台として利用できるだけでなく、室内ファンをメンテナンス口より庫内へ運び入れて元の場所に設置するまでの作業においても、仮置き台として利用できることは言うまでもない。
【０００８】
（請求項２の発明）
請求項１に記載したコンテナ用冷凍装置において、室内ファンは、ファンブレードの周囲を取り囲むファンシュラウドを有し、このファンシュラウドがケーシングに取り付けられたファンガイドにボルトによって固定され、且つ、ブラケットが受けブラケットにボルトによって固定されていることを特徴とする。
この場合、室内ファンを上下両側で固定できる。つまり、室内ファンの上側は、ファンシュラウドをファンガイドにボルトで固定し、室内ファンの下側は、モータに取り付けられたブラケットを受けブラケットにボルトで固定することができる。特に、重量物であるモータ側を固定できるので、ファンシュラウド側だけを固定する従来技術と比較して耐震性が向上する。
【０００９】
（請求項３の発明）
請求項１または２に記載したコンテナ用冷凍装置において、蒸発器は、ケーシングと仕切板との間で、仕切板側からケーシング側に向かって室内機スペースの下方へ傾斜した状態に配置されていることを特徴とする。
上記の構成では、蒸発器のケーシング側が仕切板側より低く配置されるので、室内ファンをメンテナンス口より庫外へ取り出す際に、モータの底部に取り付けられたブラケットが誤って蒸発器に当たることを防止できる。
【図面の簡単な説明】
【００１０】
【図１】冷凍装置の断面図である。
【図２】受けブラケットに固定された室内ファンの斜視図である。
【図３】受けブラケットに仮置きされた状態を示す室内ファンの斜視図である。
【図４】冷凍装置の正面図である。
【図５】冷凍装置の斜視図である。
【図６】室内ファンの仮置き状態を示す冷凍装置の斜視図である。
【図７】従来技術を説明する冷凍装置の断面図である。
【発明を実施するための形態】
【００１１】
本発明を実施するための最良の形態を以下の実施例により詳細に説明する。
【実施例】
【００１２】
（実施例１）
実施例１に示すコンテナ用冷凍装置１は、例えば、海上輸送用のコンテナ（図示せず）に使用され、コンテナに積載される積載物（例えば、果物、野菜、肉、魚貝類などの生鮮食品等）の冷凍保存を行う。
この冷凍装置１は、コンテナの長手方向の一端に開口する開口部を閉塞して取り付けられるケーシング２を有し、このケーシング２に室外機と室内機とを一体的に配置して構成される（図１参照）。また、ケーシング２の庫内側には、荷物を積載するための荷室と、冷凍装置１の設置スペースとの間を区画する仕切板３（一般にバルクヘッドと呼ばれる）が設けられている。
【００１３】
ケーシング２は、図１（ａ）に示す様に、天地方向（図示上下方向）の下側に室外機を配置する室外機スペースＳｏを形成し、上側に室内機を配置する室内機スペースＳｉを形成している。また、室内機スペースＳｉの外壁面には、図４に示す様に、修理点検あるいは部品交換等のためにメンテナンス口４が２箇所形成されている。なお、図４に示される２箇所のメンテナンス口４は、図示左側が、メンテナンス口４をメンテナンスカバー５で覆った状態を示し、図示右側がメンテナンスカバー５を取り外した状態、つまりメンテナンス口４を開いた状態を示している。
【００１４】
室外機は、図１に示す様に、気相冷媒を圧縮する圧縮機６と、この圧縮機６で圧縮された冷媒を外気との熱交換によって冷却液化する凝縮器７と、この凝縮器７に外気を送風する室外ファン８等を有する。
室内機は、凝縮器７より送られた液化冷媒を減圧膨張させる膨張弁（図示せず）と、この膨張弁で減圧された低温の霧状冷媒を庫内の空気と熱交換させる蒸発器９と、この蒸発器９に庫内の空気を送風する室内ファン１０等を有する。
【００１５】
次に、本発明に係る室内ファン１０の取付け構造について説明する。
室内ファン１０は、図２に示す様に、回転力を発生するモータ１１と、このモータ１１の回転軸１１ａに取り付けられるファンブレード１２と、このファンブレード１２の周囲を取り囲むファンシュラウド１３を備える。この室内ファン１０は、図１（ａ）に示す様に、ケーシング２の天地方向において蒸発器９より上方に配置され、且つ、ファンブレード１２が室内機スペースＳｉの天方向、つまり、反蒸発器側を向いて設置される。
なお、蒸発器９は、室内機スペースＳｉの奥行き方向（図１（ａ）の左右方向）において、庫内側（仕切板３側）から庫外側（ケーシング２側）へ向かって室内機スペースＳｉの下方へ傾斜した状態に配置されている。
【００１６】
また、室内ファン１０は、図２に示す様に、モータ１１の底面を覆うボトムカバー１１ａにモータブラケット１４がボルト締め、接着、溶接等の方法により装着されている。このモータブラケット１４は、室内機スペースＳｉの奥行き方向において、モータ１１よりメンテナンス口４の方向（図１の矢印方向）へ向かって平板状に延設され、且つ、室内機スペースＳｉの奥行き方向と直交する幅方向の両端が室内機スペースＳｉの下方に向かって直角に折り曲げられている。以下、モータブラケット１４の両端より直角に折り曲げられた部分をリブ１４ａと呼ぶ。
この室内ファン１０は、ファンシュラウド１３の幅方向の両端に取り付けられた取付けステー１５（図２参照）を介して、ケーシング２に設けられたファンガイド１６（図１（ｂ）参照）にボルト（図示せず）によって着脱可能に固定され、且つ、モータブラケット１４が下述する受けブラケット１７にボルト１８（図２参照）によって着脱可能に固定されている。
【００１７】
ケーシング２には、図１（ａ）に示す様に、室内機スペースＳｉを形成する庫内側の壁面に上記の受けブラケット１７がボルトで固定されている。この受けブラケット１７は、図２に示す様に、室内機スペースＳｉの上方向に平坦面１７ａを有する箱型に形成され、且つ、図４に示す様に、メンテナンス口４の幅方向（図示左右方向）の略中央部に設置されている。また、受けブラケット１７の平坦面１７ａは、メンテナンス口４の下端より数ｃｍ程度、上方へ突き出た位置に設定され、且つ、ケーシング２の庫内側の壁面より反メンテナンス口方向、つまり、室内機スペースＳｉの奥行き方向においてメンテナンス口４より遠ざかる方向へ棚状に延設されている（図５参照）。
【００１８】
受けブラケット１７の幅寸法は、図２に示す様に、モータブラケット１４の両側面に設けられる一対のリブ１４ａ間の寸法より小さく設定される。つまり、モータブラケット１４を受けブラケット１７に固定する際に、受けブラケット１７の平坦面１７ａにリブ１４ａが干渉することはなく、両ブラケット１４の平面同士が当接した状態でボルト１８により固定できる。
この受けブラケット１７は、モータブラケット１４を介して室内ファン１０をモータ１１側から支持するモータ支持台として使用されるだけでなく、例えば、室内ファン１０のモータ１１が故障した時に、図３に示す様に、ブラケット１４をメンテナンス口４の方向へスライドさせて、受けブラケット１７の平坦面１７ａの上にモータ１１の重心が乗る位置まで室内ファン１０を引出すことにより、受けブラケット１７上に一時的に仮置きすることができる。
【００１９】
（実施例１の作用および効果）
実施例１に記載した冷凍装置１は、モータ１１のボトムカバー１１ａに取り付けたモータブラケット１４が、ケーシング２の壁面に取り付けた受けブラケット１７の平坦面１７ａの上をメンテナンス口４に対向してスライド可能に設けられている。この構成によれば、例えば、室内ファン１０のモータ１１が故障した時に、室内ファン１０を固定しているボルト１８等を取り外した後、受けブラケット１７上をモータブラケット１４と一体に室内ファン１０をスライドさせて、メンテナンス口４より庫外へ取り出すことができる。この時、図３および図６に示す様に、受けブラケット１７を室内ファン１０の一時的な仮置き台として利用できる。
【００２０】
つまり、従来のコンテナ用冷凍装置であれば、メンテナンス口４まで引き出した室内ファン１０の重心がファンガイドから外れた瞬間に室内ファン１０の重量が作業者の両腕に急激に加わる時でも、本実施例の冷凍装置１では、図１（ｂ）および図６に示す様に、従来と同じ位置まで室内ファン１０を引き出した状態で受けブラケット１７の上に仮置きできる。このため、作業者は、一旦、室内ファン１０から両手を離すことが可能となり、体勢を整えてから室内ファン１０をメンテナンス口４より庫外へ取り出すことができる。これにより、作業者が安定した体勢で一連の作業を行うことができるので、作業時の安全性および作業効率が向上する。
また、モータブラケット１４は、幅方向の両側にそれぞれリブ１４ａを設けているので、１０数ｋｇあるモータ１１の重量を受けても、モータブラケット１４が変形することはない。
【００２１】
さらに、本実施例の室内ファン１０は、ファンシュラウド１３がファンガイド１６にボルトによって固定され、且つ、モータブラケット１４が受けブラケット１７にボルト１８によって固定されている。つまり、室内ファン１０を上下両側で固定できる。特に、重量物であるモータ１１側をモータブラケット１４を介して受けブラケット１７に固定できるので、ファンシュラウド１３側だけを固定する従来技術と比較して耐震性が大幅に向上する。
また、本実施例の蒸発器９は、図１（ａ）に示した様に、室内機スペースＳｉの奥行き方向において、庫内側から庫外側へ向かって室内機スペースＳｉの下方へ傾斜した状態に配置されているので、室内ファン１０をメンテナンス口４より庫外へ取り出す際に、モータブラケット１４が誤って蒸発器９に当たることを防止できる。
【００２２】
なお、本実施例の受けブラケット１７は、室内ファン１０をメンテナンス口４より庫外へ取り出す際の仮置き台として利用できるだけでなく、メンテナンス後の室内ファン１０をメンテナンス口４より庫内へ運び入れて所定の場所に設置するまでの作業においても、一時的な仮置き台として利用できることは言うまでもない。
【００２３】
（変形例）
実施例１では、モータブラケット１４の両側面に設けられる一対のリブ１４ａ間の寸法より受けブラケット１７の幅寸法の方が小さく設定されるが、一対のリブ１４ａ間の寸法と受けブラケット１７の幅寸法との寸法差を小さくする、言い換えると、幅方向のガタツキを少なくすることで、室内ファン１０を出し入れする際に、受けブラケット１７の両側面をガイド面として利用できる。例えば、室内ファン１０をメンテナンス口４より庫外へ取り出す際は、モータブラケット１４の幅方向に対向する一対のリブ１４ａの対向面が受けブラケット１７の両側面に案内されながら受けブラケット１７上をスライドできるので、室内ファン１０の取り外しに掛かる作業をより安全に行うことが可能である。
また、上述した実施例では、本発明の冷凍装置１を海上輸送用のコンテナに適用した一例を記載したが、海上輸送用のコンテナに限定するものではなく、例えば、陸上輸送用のコンテナであっても良い。すなわち、輸送用コンテナであれば、本発明の冷凍装置１を適用することが可能である。
【符号の説明】
【００２４】
１  冷凍装置
２  ケーシング
３  仕切板
４  メンテナンス口
９  蒸発器
１０  室内ファン
１１  モータ
１２  ファンブレード
１４  モータブラケット（ブラケット）
１３  ファンシュラウド
１６  ファンガイド
１７  受けブラケット
Ｓｉ  室内機スペース
【図１】
0005751179.tif 000002
【図２】
0005751179.tif 000003
【図３】
0005751179.tif 000004
【図４】
0005751179.tif 000005
【図５】
0005751179.tif 000006
【図６】
0005751179.tif 000007
【図７】
0005751179.tif 000008